(57)【特許請求の範囲】
【請求項１】
構築した防音壁の各パネルに、拡開爪付き係止金具と拡開用スリーブを嵌装したボルトの頭部側を外側から嵌挿し、ボルトの外側に座金を介してナツトをねじ込み、係止金具をパネル側へ引き寄せて拡開用スリーブで各拡開爪を拡開せしめパネル内面に係止し立上金具として突設し、ボルトの外側にリングを付設し条材を挿通して張設する防音壁のパネル落下防止工法において、反頭部側端部に回転止め部を設けたボルトを用いるとともに、各拡開爪の先端縁部が外周に向けて開くように変形した湾曲部を有する係止金具を用い、前記ボルトに設けた回転止め部を工具により挟持してナツトをねじ込むことにより、ボルトとともに係止金具の回転を止めてパネル側に引き寄せ、各拡開爪の先端部に設けた前記湾曲部により拡開爪を二次的に拡開せしめ、係止金具内に拡開用スリーブを充満させて、係止金具をパネル内側に係止することを特徴とする防音壁のパネル落下防止工法。
【請求項２】
構築した防音壁の各パネルに、拡開爪付き係止金具と拡開用スリーブを嵌装したボルトの頭部側を外側から嵌挿し、ボルトの外側に座金を介してナツトをねじ込み、係止金具をパネル側へ引き寄せて拡開用スリーブで各拡開爪を拡開せしめパネル内面に係止し立上金具として突設し、ボルトの外側にリングを付設し条材を挿通して張設する防音壁のパネル落下防止工法において、反頭部側端部に回転止め部を設けたボルトを用いるとともに、各拡開爪の先端部に滑性の被覆膜を設けた係止金具を用い、前記ボルトに設けた回転止め部を工具により挟持してナツトをねじ込むことにより、ボルトとともに係止金具の回転を止めてパネル側に引き寄せ、各拡開爪の先端部に設けた滑性の被覆膜により拡開爪の先端部を二次的に拡開せしめ、係止金具内に拡開用スリーブを充満させて、係止金具をパネル内側に係止することを特徴とする防音壁のパネル落下防止工法。
【請求項３】
構築した防音壁の各パネルに、拡開爪付き係止金具と拡開用スリーブを嵌装したボルトの頭部側を外側から嵌挿し、ボルトの外側に座金を介してナツトをねじ込み、係止金具をパネル側へ引き寄せて拡開用スリーブで各拡開爪を拡開せしめパネル内面に係止し立上金具として突設し、ボルトの外側にリングを付設し条材を挿通して張設する防音壁のパネル落下防止工法において、反頭部側端部に回転止め部を設けたボルトを用いるとともに、ボルトに嵌装してパネル内側に配置したワツシャーを用い、前記ボルトに設けた回転止め部を工具により挟持してナツトをねじ込むことにより、ボルトとともに係止金具の回転を止めてパネル側に引き寄せ、パネル内側に配置した前記ワツシャーにより各拡開爪の先端部を二次的に拡開せしめ、係止金具内に拡開用スリーブを充満させて、係止金具をパネル内側に係止することを特徴とする防音壁のパネル落下防止工法。
【請求項４】
請求項１、請求項２又は請求項３記載の防音壁のパネル落下防止工法において、拡開用スリーブの外周面により拡開された係止金具の各拡開爪の先端部を、拡開用スリーブのパネル側に設けた凹アール付き鍔部により二次的に拡開せしめることを特徴とする防音壁のパネル落下防止工法。
【請求項５】
請求項４記載の防音壁のパネル落下防止工法において、ボルトに嵌装して拡開用スリーブのパネル側に配置した硬質筒状材により、拡開用スリーブのパネル側に設けた凹アール付き鍔部を拡径せしめて、凹アール付き鍔部の拡径とともに各拡開爪の先端部を二次的に拡開せしめることを特徴とする防音壁のパネル落下防止工法。
【発明の詳細な説明】
【０００１】
【発明の属する技術分野】
本発明は、道路等に沿って構築した防音壁の各パネルに、その外側から付設してパネル落下防止装置を取り付ける防音壁のパネル落下防止工法に関するものである。
【０００２】
【従来の技術】
従来の防音壁は、図６に示すように道路等の側部ａに設けた支柱ｂ群の内側に、多数の防音用のパネルｃをボルト等で張り詰め、支柱群の外側に多数の外装用のパネルｄをボルト等で複数段に張り詰めた構造になっている。また、振動等によるボルト・ナツトの緩みなどで生じるパネルｄの落下を防止するため、拡開爪付き係止金具ｅ３及び拡開用スリーブｅ４を嵌装したボルトｅ１の頭部ｅ２側を各パネルｄ（ボルト孔）に外側Ｘから挿入し、ボルト外側に座金ｅ５を嵌装してナツトｅ６をねじ込むことにより、ボルトｅ１とともに係止金具ｅ３をパネルｄ側へ引き寄せて、拡開用スリーブｅ４により係止金具ｅ３の各係止爪を拡開しパネルの内面に係止せしめて、各パネルｄに立上金具ｅとして装着した後、ボルトｅ１の外側にリングｆを取り付けて、そのリング部ｆ３に条材（張線器ｈ付きの撚り合わせ線やワイヤー）ｇを挿通して張設する防音壁のパネル落下防止工法を開発して提案した（特開平１０−２５７１５号公報参照）。
【０００３】
【発明が解決しようとする課題】
従来の防音壁のパネル落下防止工法は、前記のように張り詰めた各パネルに立上金具を外側から容易に装着して、係止金具（拡開爪）と座金及びナツトによる挟着によりパネルに強力に装着できるなどの特徴を有しているが、ナツトのねじ込みに際し係止金具（拡開爪）がボルトとともに回転されて、各拡開爪の端縁部が各パネル板の内側面に食い込み、パネルが損傷されて腐食の一因になる恐れがあるため、その損傷を防止して耐久性を高める必要がある。また、各拡開爪の拡開や拡開用スリーブの充填にバラツキが生じる恐れがあるため、係止力の信頼性をさらに高める必要があるなどの課題がある。
【０００４】
本発明は、前記のような課題に対処するために開発されたものであって、その目的とする処は、拡開爪付き係止金具の回転止めとともにパネルへの食い込みを解消し、拡開爪の拡開性及び拡開用スリーブによる充填率を高めるなど、立上金具の装着性や係止性能、信頼性とともに耐久性を向上した防音壁のパネル落下防止工法を提供するにある。
【０００５】
【課題を解決するための手段】
本発明は、構築した防音壁の各パネルに、拡開爪付き係止金具と拡開用スリーブを嵌装したボルトの頭部側を外側から嵌挿し、ボルトの外側に座金を介してナツトをねじ込み、係止金具をパネル側へ引き寄せて拡開用スリーブで各拡開爪を拡開せしめパネル内面に係止し立上金具として突設し、ボルトの外側にリングを付設し条材を挿通して張設する防音壁のパネル落下防止工法において、反頭部側端部に回転止め部を設けたボルトを用いるとともに、各拡開爪の先端縁部が外周に向けて開くように変形した湾曲部を有する係止金具を用い、前記ボルトに設けた回転止め部を工具により挟持してナツトをねじ込むことにより、ボルトとともに係止金具の回転を止めてパネル側に引き寄せ、各拡開爪の先端部に設けた前記湾曲部により拡開爪を二次的に拡開せしめ、係止金具内に拡開用スリーブを充満させて、係止金具をパネル内側に係止することを特徴としている。
これによれば、ボルトに設けた回転止め部によりボルト及び係止金具の回転を止めてナツトをねじ込むことにより、係止金具の引き寄せ及びその各拡開爪の拡開が円滑となり、各拡開爪によるパネルの回転損傷が解消される。また、各拡開爪の先端部に設けた湾曲部により、パネル内側面の食い込み損傷を効果的に解消し、各拡開爪の先端部を効果的に二次的に拡開せしめることができ、この二次拡開に伴って拡開用スリーブを係止金具内に効果的に充満させて、パネル内側への係止力を著しく高めかつ各拡開爪の係止、ボルトの緩みを防止することができる。構築した防音壁の各パネルの外側から立上金具を強力に装着して、リングを付設し条材を挿通して張設することにより、パネル落下防止装置として容易に施工されるなど、立上金具の装着性や係止力、信頼性とともに耐久性を効果的に高めている。
【０００６】
前記の防音壁のパネル落下防止工法において、前記の湾曲部に代えて、各拡開爪の先端部に設けた滑性の被覆膜により拡開爪の先端部を二次的に拡開せしめることに特徴を有し、各拡開爪の先端部に設けた滑性の被覆膜は、前記の湾曲部と同様に各拡開爪を二次的に拡開せしめ、前記の湾曲部とほぼ同様な作用、効果が得られる。
【０００７】
前記の湾曲部又は滑性の被覆膜に代えて、ボルトに嵌装してパネル内側に配置したワツシャーにより各拡開爪の先端部を二次的に拡開せしめることに特徴を有し、ワツシャーによりパネル内側面を格別に損傷しないで各拡開爪の先端部を二次的に拡開せしめるなど、前記の湾曲部又は滑性の被覆膜とほぼ同様な作用、効果が得られる。
【０００８】
ボルトに嵌装して拡開用スリーブのパネル側に配置した硬質筒状材により、拡開用スリーブのパネル側に設けた凹アール付き鍔部を拡径せしめて、凹アール付き鍔部の拡径により各拡開爪の先端部を二次的に拡開せしめることに特徴を有し、凹アール付き鍔部は、係止金具の各拡開爪の先端部をさらに効果的に二次拡開せしめるとともに、各拡開爪の先端部内でさらに膨張、充満して、立上金具の装着性、信頼性をさらに高める。
【０００９】
また、ボルトに嵌装して拡開用スリーブのパネル側に配置した硬質筒状材により、拡開用スリーブのパネル側に設けた凹アール付き鍔部を拡径せしめて、凹アール付き鍔部の拡径により各拡開爪の先端部を二次的に拡開せしめることに特徴を有し、硬質筒状材により拡開用スリーブに設けた凹アール付き鍔部が受け止められて積極的に拡径され、この拡径により係止金具の各拡開爪の二次拡開がさらに助長されるとともに、各拡開爪の先端部で凹アール付き鍔部がさらに膨径（外周の膨らみ）されて充満されるなど、総合的に優れた立上金具の装着性、信頼性とともに耐久性が得られる。
【００１０】
【発明の実施の形態】
図１に本発明の第１実施例を示す防音壁のパネル落下防止工法、図２に第２実施例を示す防音壁のパネル落下防止工法、図３Ａ，Ｂに立上金具のボルトの実施例とその変形例、図３Ｃ，Ｄに係止金具の実施例とその変形例、図３Ｅにワツシャーの一実施例、図４に拡開用スリーブの実施例とその変形例、図５にリングの実施例とその変形例を示している。図中１は支柱ｂや防音用のパネルｃ及び外装用のパネルｄ等からなる構築された防音壁（図６Ａ参照）、１０ａ,１０ｂは頭部２ａ付きのボルト２や、複数の拡開爪３ｄ付き係止金具３、ワツシヤー４、拡開用スリーブ５、硬質筒状材６、ワツシヤー７、座金８、ナツト９等からなる立上金具、２０ａ,２０ｂ,２０ｃ又は２３ａ,２３ｂ,２３ｃはボルト２の外側に取り付けるリング、３０は各リングに挿通して張設する条材（撚り線やワイヤー等）である。
【００１１】
図示の実施例は、構築した防音壁１の各パネルｄに、拡開爪３ｄ付き係止金具３と拡開用スリーブ５を嵌装したボルト２の頭部２ａ側を外側Ｘから嵌挿し、ボルト２の外側に座金８を介してナツト９をねじ込み、係止金具３をパネルｄ側へ引き寄せ拡開用スリーブ５で各拡開爪３ｄを拡開せしめてパネル内側に係止し立上金具１０ａとして突設し、ボルト外側にリング２０ａ，２０ｂ，２０ｃを付設し条材３０を挿通して張設する防音壁のパネル落下防止工法において、ボルト２に設けた回転止め部２ｂによりボルト２とともに係止金具３の回転を止めてナツト９をねじ込み、各拡開爪３ｄの先端部に設けた湾曲部３ｅにより拡開爪を二次的に拡開せしめ、係止金具３内に拡開用スリーブ５を充満させて、係止金具３をパネルｄ内側に係止することを特徴とする防音壁のパネル落下防止工法になっている。
【００１２】
前記の防音壁のパネル落下防止工法において、前記の湾曲部３ｅに代えて、各拡開爪３ｄの先端部に設けた滑性の被覆膜３ｆにより拡開爪の先端部３ｄを二次的に拡開せしめることを特徴とする防音壁のパネル落下防止工法になつている。
【００１３】
前記の湾曲部３ｅ又は滑性の被覆膜３ｆに代えて、ボルト２に嵌装してパネルｄ内側に配置したワツシャー４により各拡開爪３ｄの先端部を二次的に拡開せしめることを特徴とする防音壁のパネル落下防止工法になっている。
【００１４】
拡開用スリーブ５の外周面により拡開された係止金具３の各拡開爪３ｄの先端部を、拡開用スリーブ５のパネルｄ側に設けた凹アール付き鍔部５ｃにより二次的に拡開せしめることを特徴とする防音壁のパネル落下防止工法になつている。
【００１５】
拡開用スリーブ５のパネルｄ側に配置した硬質筒状材６により、拡開用スリーブ５のパネルｄ側に設けた凹アール付き鍔部５ｃを拡径せしめて、凹アール付き鍔部の拡径により各拡開爪３ｄの先端部を二次的に拡開せしめることを特徴とする防音壁のパネル落下防止工法になっている。
【００１６】
さらに詳述すると、立上金具１０ａ，１０ｂは、ボルト２、複数の拡開爪３ｄ付き係止金具３、ワツシヤー４、拡開用スリーブ５、あるいはまた硬質筒材６、及びワツシヤー７、座金８、ナツト９等からなり、この立上金具は、図６Ａに示すように構築された防音壁１において、張り詰められているパネル（外装板）ｄに外側Ｘから挿着して突設し、さらに、そのボルト２の外側にリング１０ａ、１０ｂ又は１０ｃを取り付けて、そのリングに条材（撚り線やワイヤー等）３０を挿通させて張設することによりパネル落下防止装置として容易に施工される。
【００１７】
前記のボルト２は、図３Ａに示すように係止金具３の抜け止め用の頭部２ａを有し、外端側に断面多角形（図示例）又は少なくとも対設した一対の平面部（図示省略）からなる回転止め部２ｂを設け、又は、図３Ｂに示すようにボルト２の外側のねじ部中に少なくとも対設した一対の切り欠き溝（図示例）又は断面多角形部（図示省略）からなる回転止め部２ｂを設けた構造にしている。ナツト９のねじ込みに際し、回転止め部２ｂを適宜の工具によつて挟持することにより、ボルト２とともに拡開爪３ｄ付き係止金具３を効果的に回転止めして、ナツトのねじ込みを容易とし、各拡開爪３ｄの先端縁部によるパネルｄ内側面の回転損傷を防止する。
【００１８】
図３Ｃに示す係止金具３は、好ましくは適度に強靭な金属により基本的に筒状に形成して、基端側面（図示左端面部）にボルト２に嵌装するボルト孔３ｂを設け、前部側（図示右側）から複数の切り欠き溝３ｃを周間隔をおき形成して複数（図示例は４個）の拡開爪３ｄを設け、各拡開爪３ｄの先端縁部を適度に外周へ向けて変形した湾曲部３ｅを付設した構造にしている。ボルト２に嵌装してパネルｄのボルト孔（符号省略）に外側Ｘから挿入する際は、各拡開爪３ｄの先端縁部（湾曲部３ｅ）を適度に縮径することにより、ボルト２に嵌装してパネルｄのボルト孔に外側から容易に挿入される。また、ナツト９のボルト２へのねじ込みに際し、各拡開爪３ｄは、拡開用スリーブ５の外周面５ｂで一次的に拡開された後、先端縁部の湾曲部３ｅによりパネルｄ内側面への食い込みが効果的に回避されて、二次的に拡開せしめられ、パネル内側面の食い込み損傷を解消するなど、優れた係止性能、信頼性が得られる（図１，図２参照）。
【００１９】
図３Ｄに示す変形例の係止金具３は、前記の湾曲部３ｅに代えて、各拡開爪３ｄの先端縁部を適度の凸アール形状とし、先端部の適宜の範囲にわたり滑性（表面）の保護膜３ｆを施して被覆した構造に特徴を有し、その他の構造は図３Ｃに示す実施例と同様な構造にしている。この係止金具３は、その各拡開爪３ｄの先端縁部に凸アール部を形成して滑性（表面）の保護膜３ｆで被覆しているので、ボルト２にナツト９をねじ込みボルトとともにパネルｄ側へ引き寄せられる際に、その各拡開爪３ｄは、拡開用スリーブ５の外周面５ｂで一次的に拡開された後、その滑性（表面）の保護膜３ｆによりパネルｄ内面への各拡開爪３ｄの先端縁部の食い込み損傷を効果的に回避して、かつその二次的な拡開を円滑に助長せしめ、最終的にはパネルとの摩擦を適度に高めるなど優れた係止性能、信頼性が得られる。
【００２０】
ワツシャー４は、適度の硬度や可撓性、滑性（表面）及び弾性（金属製の場合は凸湾曲形状に形成するなど）を有する各種の合成樹脂製やゴム製又は金属製の薄い硬質円板として、図３Ｅに示すように中央部にボルト２に嵌装するボルト孔４ａを形成し、必要に応じ複数の切り線４ｂを周間隔をおき付設した構造にしている。ワツシャー４は、防音壁１に張り詰めているパネルｄに、立上金具１０ｂ（図２参照）のボルト２に嵌装して挿入する際に、複数の切り線４ｂによりその周囲を縮径せしめることにより、パネルｄの外側Ｘからボルト２とともに容易に挿入して内側に配置される。また、ナツト９のねじ込みによりボルト２を介し係止金具３をパネルｄ側へ引き寄せる際に、拡開用スリーブ５で一次的に拡開されたその各係止爪３ｂの先端縁部（必要に応じ図３のように湾曲部３ｅや保護膜３ｆを付設）は、このワツシャー４により外周側へ二次的に拡開されて、パネルｄ内側面の食い込み損傷を解消するなど係止性能、信頼性を著しく高める。また、防音壁１に張り詰める前のパネルｄにボルト孔を予め設ける場合は、必要に応じワツシャー４をパネルｄの内面側に接着剤等で予め取り付けることも可能である。図１、図２に示すガスケツト７は、ワツシャー４と同様な硬質円板であり、中央部にボルト２に嵌装するためのボルト孔を設けた構造になっている。
【００２１】
図４Ａに示す実施例の拡開用スリーブ５は、適度に硬質で適度の膨張性、弾性を有する各種の合成樹脂やゴム製等とし、立上金具１０ａ，１０ｂのボルト２に嵌装するボルト孔５ａを貫設し、パネルｄ側を適度に拡径したテーパ面としかつ適度の滑性面に形成した一次拡開用の外周面５ｂを設け、好ましくはパネルｄ側の端部に凹アール付き鍔部５ｃを設けた構造にしている。この拡開用スリーブ５は、ナツト９のボルト２へのねじ込みによりボルトとともに係止金具３をパネルｄ側へ引き寄せる際に、外周面５ｂにより係止金具３の各拡開爪３ｄを一次的に適度に拡開した後、凹アール付き鍔部５ｃにより各拡開爪３ｄの先端部を二次的に拡開せしめる。係止金具３の各拡開爪３ｄが二次的に拡開されてパネルｄ内側面に係止される段階になると、拡開用スリーブ５が係止金具３内でその長さが適度に圧縮されて周囲へ膨径（外周への膨らみ）されて充満される。凹アール付き鍔部５ｃの膨径は前記の二次的な拡開をさらに助長して顕著とし、パネルｄ内側面の食い込み損傷を解消するなど係止性能、信頼性を効果的に高める。
【００２２】
図４Ｂに示す変形例の拡開用スリーブ５は、適度に硬質で適度の膨張性、弾性を有する各種の合成樹脂やゴム製とし、図４Ａに示す実施例に比べると凹アール付き鍔部５ｃを設けたパネルｄ側に周間隔をおき複数の切り線５ｄを設けた構造に特徴を有し、その他の構造は実施例と同様になっている。この変形例では、図示のように各種の硬質材（金属製、硬質合成樹脂製等）で短い円筒に形成し、ボルト孔６ａを設けた拡開用スリーブ５拡径用の短い硬質筒状材６を組み合わせてセットし、硬質筒状材６の一面６ｂにより、拡開用スリーブ５の切り線５ｄ付き凹アール付き鍔部５ｃを受け止めて効果的に拡径せしめ、この拡径により各拡開爪３ｄの先端部の二次拡開をさらに助長せしめ、パネル板ｄ内面の食い込み損傷を解消するなど係止性能、信頼性を著しく高める。
【００２３】
図５Ａに示す実施例のリング２０ａは、ボルト２の先端側へねじ込み連結するボルト孔２２ａ付きの本体２１ａ（好ましくは金属製）を有し、本体に突設したリング２３ａ（好ましくは金属製）等からなり、リング２３ａの先端部に隙間αを形成する交差部２４を設けた構造にしている。リング２０ａは、防音壁１のパネルｄに取り付けた立上金具のボルト２の外側にねじ込み連結して、リング２３ａに条材（撚り線やワイヤー）３０を交差部２４の隙間αから容易に挿入することができる。図５Ｂに示す変形例のリング金具２０ｂは、前記の実施例に比べボルト孔２２ｂ付きの本体２１ｂに完全なリング２３ｂを突設した構造に特徴を有し、その他の構造は実施例と同様になっている。リング２３ｂに条材３０を挿入する。図５Ｃに示す変形例のリング金具２０ｃは、適宜の幅の金属板を折曲して重合した両端部２１ｃにボルト孔２２ｃを設け、折曲部を短い円筒状に形成したリング２３ｃとした構造にしている。リング金具２０ｃは、図１Ｂに示すように立上金具のボルト２外側にナツト９をさらにねじ込み固定して、そのリング２３ｃに条材３０を挿入する。
【００２４】
第１実施例の防音壁のパネル落下防止工法は、図６に示すように道路等の側部ａに相互間隔をおき建てた支柱ｂ群の内側に、多数の防音用のパネル板ｃをボルト等で張り詰め、支柱群の外側に多数の外装用のパネル板ｄを水平方向に指向させてボルト等で複数段に張り詰めた防音壁１において、図１Ａに示すように複数の湾曲部３ｅ付き拡開爪３ｄを有する係止金具３及び凹アール付き鍔部５ｃ付き拡開用スリーブ５を嵌装した回り止め部２ｂ付きボルト２の頭部２ａ側を各パネル（外装用）ｄのボルト孔（符号省略）にその外側Ｘから挿入する。係止金具３は先端部の湾曲部３ｅを縮径させることによりパネルｄ内側へ格別な支障なく挿入される。さらに、ボルト２の外側に好ましくはガスケツト７と座金８を嵌装してナツト９を螺合し、ボルト２の外側に設けた回転止め部２ｂを適宜の工具（図示省略）で挟持しボルト２の回転止めをして、ナツト９をねじ込むことにより、ボルト２とともに係止金具３の回転止めをしてパネルｄ側へ引き寄せる。係止金具３の各拡開爪３ｄは拡開用スリーブ５の外周面５ｂで一次的に拡開された後、各拡開爪３ｄの湾曲部３ｅが、拡開用スリーブ５の凹アール付き鍔部５ｃで二次的に拡開せしめられる。各湾曲部３ｅは、パネルｄ内面を格別に損傷しないで強力に係止される。拡開用スリーブ５は、各拡開爪３ｄの前記の二次拡開に伴って最終的には長さが短縮されて外周へ向け著しく膨径（外周の膨らみ）され、係止金具３内に蜜に充填されて、その摩擦により各拡開爪３とボルト２及びパネルｄが一体化され、振動等による緩みなどが防止されるなど、立上金具１０ａの係止力、信頼性を効果的に高める。図１Ｂに示すように外装用の各パネルｄに容易に強力に装着された立上金具１０ａは、その各ボルト２の外側Ｘから容易にかつ強力に挟持させて装着され、その装着に際し係止金具３とボルト２の回転止め、各拡開爪３ｄの湾曲部３ｅによる前記のような二次拡開等により、各パネルｄは格別に損傷されずその腐食が効果的に解消されるなど、優れた装着性、係止力、信頼性とともに耐久性が得られる。
【００２５】
さらに、図１Ｂに示すように各パネルｄに装着した立上金具１０ａのボルト２外側に、リング２０ａや２０ｂ又は２０ｃを螺合し又は嵌装してナツト９で挟持して取り付け、各リング２０ａや２０ｂ又は２０ｃの２３ａや２３ｂ又は２３ｃに条材（撚り線やワイヤー）３０を挿通して両端を適宜の手段で固定し、介装した張線器ｈにより撚り線やワイヤー３０を適度に引き締めて張設することにより、既設の防音壁１においてもパネル落下防止装置（図６Ａ参照）を容易に施工することができる。多数の立上金具１０ａに長尺の条材３０を挿通する場合はリング２０ａを適用し、比較的に少ない立上金具に短い条材３０を挿通する場合は必要に応じリング２０ｂの適用が可能となり、パネルｄに対し条材３０を比較的に近く配置する場合にはリング２０ｃが好適となる。
【００２６】
図１に示す防音壁のパネル落下防止工法において、各拡開爪３ｄの先端部に設けた湾曲部３ｅは、凹アール付き鍔部５ｃのない拡開用スリーブ５を適用した場合でも、パネルｄ内面で格別に食い込まないで外周へ滑り変形し易く前記のような二次拡開の機能が得られる。また、凹アール付き鍔部５ｃは湾曲部３ｅの二次拡開をさらに助長する。さらに、図３Ｄに示すように各拡開爪３ｄの先端縁部に設けた凸アール付き被覆膜３ｆを施した係止金具３を適用すると、被覆膜３ｆは、前記の湾曲部３ｅとほぼ同様な機能を発揮して、同様な作用、効果が得られる。
【００２７】
第２実施例の防音壁のパネル落下防止工法は、図１に示す第１実施例の防音壁のパネル落下防止工法に比べ、湾曲部３ｅ付き拡開爪３ｄを有する係止金具３及び凹アール付き鍔部５ｃを有する拡開用スリーブ５とともに、ガスケツト４及び硬質筒状材６を嵌装したボルト２の頭部２ａ側を各パネルｄのボルト孔（符号省略）に外側Ｘから挿入する工法に特徴を有する。このガスケツト４は、好ましくは複数の切り線４ｃ（図３Ｅ参照）を設けるなどにより、前記のように縮径させてパネルｄ内側へ格別な支障もなく容易に挿入される。また、拡開用スリーブ５は、必要に応じその凹アール付き鍔部５ｃの部分に複数の切り線５ｄを設け硬質筒状材６を図示のように組み合わせることにより、硬質筒状材６により凹アール付き鍔部５ｃの膨径かさらに高められる。係止金具３及び拡開用スリーブ５とともにガスケツト４及び硬質筒状材６を嵌装したボルト２の頭部２ａ側を各外装用のパネルｄのボルト孔（符号省略）に外側Ｘから挿入し、ボルト２の外側に好ましくはガスケツト７と座金８を嵌装しナツト９を螺合して、ボルト２の回転止め部２ｂを適宜の工具（図示省略）で挟持しボルト２の回転止めをしてナツト９をねじ込み、ボルト２とともに係止金具３を回転止めしてパネルｄ側へ引き寄せると、係止金具３の各拡開爪３ｄは拡開用スリーブ５の外周面５ｂで一次的に拡開された後、各拡開爪３ｄの湾曲部３ｅは、拡開用スリーブ５の凹アール付き鍔部５ｃ及びガスケツト４の内側面で効果的に二次拡開せしめられ、パネルｄ内側面を損傷しないでガスケツト４を介し強力に係止される。拡開用スリーブ５は、各拡開爪３ｄの前記の二次拡開に伴って最終的には適度に長さが短縮されて外周への膨径がさらに助長されるとともに、硬質筒状材６の前面により凹アール付き鍔部５ｃが効果的に膨径されて、係止金具３内に蜜に充填され、各拡開爪３ｄ、ボルト２及びガスケツト４に圧着して係止力がさらに効果的に助長され、立上金具１０ｂの係止力、信頼性がさらに高められる。基本的には第１実施例とほぼ同様な作用、効果が得られる。
【００２８】
さらに、図２Ｂに示すように各パネルｄに装着した立上金具１０ｂのボルト２の外側に、リング２０ａや２０ｂ又は２０ｃを螺合し又は嵌装してナツト９で挟持して取り付け、各リング２３ａや２３ｂ又は２３ｃに条材３０を挿通して両端を適宜の手段で固定し緊張させい張設することにより（図６Ａ参照）、既設の防音壁１においてもパネル落下防止装置（図６Ａ参照）を容易に施工できる。
【００２９】
図２に示す防音壁のパネル落下防止工法においても、各拡開爪３ｄの先端部に設けた湾曲部３ｅに代えて、各拡開爪３ｄの先端部に凸アール付き被覆膜３ｆを設けた係止金具３を適用すると、この凸アール付き被覆膜３ｆは、前記の湾曲部３ｅとほぼ同様な機能を発揮して、同様な作用、効果が得られるなどの改変が可能である。
【００３０】
本発明は、図示の実施例に限らず必要に応じ垂直に構築して防音壁にも適用され、立上金具を必要に応じ防音用のパネルに装着したり、また、係止金具の各拡開爪３ｄの先端縁部に設けた湾曲部３ｅに必要に応じ被覆膜３ｆをさらに施すなど、図示の各実施例の構成は必要に応じ組み合わせるなどの改変が可能である。
【００３１】
【発明の効果】
本発明は、前述のような構成からなり構築した防音壁の各パネルに、拡開爪付き係止金具と拡開用スリーブを嵌装したボルトの頭部側をパネルに外側から嵌挿し、ボルトの外側に座金を介しナツトをねじ込み、係止金具を引き寄せて拡開用スリーブで各拡開爪を拡開せしめてパネル内面に係止し立上金具として突設し、ボルトの外側にリングを付設し条材を挿通して張設する防音壁のパネル落下防止工法において、反頭部側端部に回転止め部を設けたボルトを用いるとともに、各拡開爪の先端縁部が外周に向けて開くように変形した湾曲部を有する係止金具を用い、前記ボルトに設けた回転止め部を工具により挟持してナツトをねじ込むことにより、ボルトとともに係止金具の回転を止めてパネル側に引き寄せるので、
ナツトのねじ込みや係止金具の引寄せ及びその各拡開爪の拡開が円滑となり、各拡開爪の回転によるパネル損傷が解消される。
また、各拡開爪の先端縁部が外周に向けて開くように変形した湾曲部を有する係止金具を用い、前記ボルトに設けた回転止め部を工具により挟持してナツトをねじ込むことにより、ボルトとともに係止金具の回転を止めてパネル側に引き寄せ、各拡開爪の先端部に設けた前記湾曲部により拡開爪を二次的に拡開せしめるので、拡開爪がパネル内面に食い込まないで外周へ滑り変形し、パネル内側面の食い込み損傷を効果的に解消でき、各拡開爪の先端部が効果的に二次的に拡開せしめられることにより、拡開用スリーブ５が係止金具３内でその長さが適度に圧縮されて周囲へ膨径（外周への膨らみ）されて充満されるので、パネル内側への係止力が著しく高められかつ各拡開爪、ボルトの緩みが防止される。したがって、前記のように構築した防音壁の各パネル外側から立上金具を強力に装着して、リングを付設し条材を挿通して張設することにより、パネル落下防止装置として容易に施工されるなど、立上金具の装着性や係止力、信頼性とともに耐久性を著しく向上している。
【００３２】
前記の防音壁のパネル落下防止工法において、前記の湾曲部に代えて、各拡開爪の先端縁部に設けた滑性の被覆膜により拡開爪を二次的に拡開せしめ、この滑性の被覆膜は、前記の湾曲部と同様に各拡開爪を二次的に拡開せしめ、ほぼ同様な作用、効果が得られる。
【００３３】
また、前記の湾曲部又は滑性の被覆膜に代えて、ボルトに嵌装してパネル内側面に配置したワツシャーにより各拡開爪の先端部を二次的に拡開せしめ、そのワツシャーにより各拡開爪の先端部はパネル内面を格別に損傷しないで二次的に拡開されるなど、ほぼ同様な作用、効果が得られる。
【００３４】
拡開用スリーブの外周面により拡開された係止金具の各拡開爪の先端部を、拡開用スリーブのパネル側に設けた凹アール付き鍔部により二次的に拡開せしめることにより、この凹アール付き鍔部は、係止金具の各拡開爪の先端部を二次的にさらに効果的に拡開せしめ、各拡開爪の先端部において拡開用スリーブがさらに膨張されて充満されるなど、立上金具の装着性、係止性能、信頼性をさらに高めている。
【００３５】
さらに、拡開用スリーブのパネル側に配置した硬質筒条材により、拡開用スリーブのパネル側に設けた凹アール付き鍔部を拡径せしめて、凹アール付き鍔部の拡径に伴って各拡開爪の先端部を二次的に拡開せしめることにより、その硬質筒条材で拡開用スリーブの凹アール付き鍔部が積極的に拡径され、この拡径に伴って各拡開爪の二次拡開をさらに高め、係止金具内で拡開用スリーブをさらに充満せしめるなど、総合的に優れた立上金具（ボルト）の装着性、信頼性とともに耐久性が得られる。
【図面の簡単な説明】
【図１】本発明の第１実施例を示す立上金具の装着工程を示す側視図（Ａ）及び立上金具とリングの装着状態を示す側視図（Ｂ）
【図２】第２実施例を示す立上金具の装着工程を示す側視図（Ａ）及び立上金具とリングの装着状態を示す側視図（Ｂ）
【図３】立上金具のボルトの実施例を示す側視図（Ａ）とその変形例を示す側視図（Ｂ）と係止金具の実施例を示す側視図（Ｃ）とその変形例を示す側視図（Ｄ）及びワツシャーの一実施例を示す側視・正面図（Ｅ）
【図４】立上金具の拡開用スリーブの実施例を示す側視図（Ａ）及びその変形例を示す側視図（Ｂ）
【図５】リングの各実施例を示す側視図（Ａ）（Ｂ）（Ｃ）
【図６】防音壁の側視図（Ａ）と従来の立上金具の側視図（Ｂ）とそのリングの側視図（Ｃ）及びその装着状態を示す側視図（Ｄ）である。
【符号の説明】
１      防音壁
３      係止金具
３ｄ    拡開爪
３ｅ    湾曲部
３ｆ    被覆膜
４      ワツシャー
５      拡開用スリーブ
６      硬質筒状材
５ｃ    凹アール付き鍔部
１０ａ  立上金具
２３ａ，２３ｂ，２３ｃ  リング
３０    撚り線やワイヤー
ｄ      パネル
Ｘ      外側
【図１】
0003910330.tif 000002
【図２】
0003910330.tif 000003
【図３】
0003910330.tif 000004
【図４】
0003910330.tif 000005
【図５】
0003910330.tif 000006
【図６】
0003910330.tif 000007